(57)【要約】  本発明は、開口数を小さくしたり、作動距離の大きなレンズを用いたりすることなく全体観察および拡大観察を同時に行うことを目的とし、平行な第１および第２面を有し、空気より高い屈折率を有する第１の平行平面板と、前記第１および第２面とそれぞれ同一平面となるように配置される第３および第４面を有し、前記第１の平行平面板と同じ屈折率を有する第２の平行平面板と、前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、を有するビームスプリッタを用いる。
2013047315.tif 000002
【特許請求の範囲】
【請求項１】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
を有するビームスプリッタと、
観察対象物全体を観察するための第１の観察光学系と、
前記観察対象物の一部を拡大して観察するための第２の観察光学系と、
を備え、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備え、
前記ビームスプリッタは、
前記第１および第３面が前記観察対象物と対向し、
前記光分離部および前記減光部を透過した透過光が前記第１の観察光学系に導かれ、
前記光分離部で反射された反射光が前記第２の観察光学系に導かれるように配置されることを特徴とする観察装置。
【請求項２】
前記減光部は、前記光分離部の反射面と連続する前記第１および第２の平行平面板の面上に貼付された透過率Ｔ％の減光フィルムで構成されることを特徴とする請求項１に記載の観察装置。
【請求項３】
前記Ｔが５０であることを特徴とする請求項１または請求項２に記載の観察装置。
【請求項４】
前記第１および第２の平行平面板は、１．４以上の屈折率を有する光透過性の物質で形成されていることを特徴とする請求項１ないし請求項３の何れかに記載の観察装置。
【請求項５】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
をそれぞれ有する第１および第２のビームスプリッタと、
観察対象物全体を観察するための第１の観察光学系と、
前記観察対象物の一部を拡大して観察するための第２の観察光学系と、
第１の照明光源からの光を用いて前記観察対象物を照明するための第１の照明光学系と、
第２の照明光源からの光を用いて前記観察対象物を照明するための第２の照明光学系と、
を備え、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備え、
前記第１および第２のビームスプリッタは、それぞれの前記第１および第３面が前記観察対象物を挟んで対向するように配置され、
前記第１のビームスプリッタは、
前記光分離部および前記減光部を透過した透過光が前記第１の観察光学系に導かれ、
前記光分離部で反射された反射光が前記第２の観察光学系に導かれるように配置され、
前記第２のビームスプリッタは、
前記第１の照明光源からの光が前記第１のビームスプリッタおよび前記観察対象物を介して前記第１および第３面側から入射し、
前記第２の照明光源からの光が前記第１ないし第４面と平行な方向から入射し、前記第１および第３面側に反射されるように配置されることを特徴とする観察装置。
【請求項６】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
を有するビームスプリッタと、
観察対象物全体を観察するための第１の観察光学系と、
前記観察対象物の一部を拡大して観察するための第２の観察光学系と、
を備え、
前記ビームスプリッタは、
前記第１および第３面が前記観察対象物と対向し、
前記光分離部を透過した透過光が前記第１の観察光学系に導かれ、
前記光分離部で反射された反射光が前記第２の観察光学系に導かれるように配置されることを特徴とする観察装置。
【請求項７】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
を有し、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備えることを特徴とするビームスプリッタ。
【発明の詳細な説明】
【技術分野】
【０００１】
本発明は、ビームスプリッタおよび観察装置に関する。
【背景技術】
【０００２】
観察装置のうち顕微鏡は、観察対象物の一部を拡大して観察するための光学系（以下、拡大観察光学系と称する）を備えている。また、例えば、特許文献１および特許文献２では、拡大観察光学系に加えて、観察対象物全体を観察するための光学系（以下、全体観察光学系と称する）を備えた顕微鏡（装置）が開示されている。このように、拡大観察光学系と全体観察光学系とを備えることによって、光学系を切り替えて、観察対象物の拡大観察および全体観察の両方を行うことができる。
【先行技術文献】
【特許文献】
【０００３】
【特許文献１】特開平５−２３２３８５号公報
【特許文献２】特開２００２−１４８５２６号公報
【発明の概要】
【発明が解決しようとする課題】
【０００４】
特許文献１および特許文献２の顕微鏡（装置）では、拡大観察光学系の光軸と全体観察光学系の光軸とが一致していないため、同一の観察対象物に対して拡大観察を行う場合と全体観察を行う場合とでステージを移動させる必要がある。そのため、拡大観察を行っている間は、視野が狭く、現在観察対象物のどの箇所を観察しているのかを把握することが困難である。特に、観察対象物が細胞培養用のマイクロプレートである場合のように、多数のウェルを順に拡大観察する際には、途中でその順番が分からなくなってしまう場合がある。【０００５】
そこで、例えば図１４に示すように、ハーフミラー２を用いて、全体観察用のカメラ３およびレンズ３０を含む全体観察光学系の光軸と、拡大観察用のカメラ４およびレンズ４０を含む拡大観察光学系の光軸とを一致させることができる。このような観察装置において、例えば、それぞれのカメラによって略同時に撮像された一対の画像をディスプレイなどに表示させることによって、現在の観察箇所を把握しながら拡大観察を行うことができる。【０００６】
しかしながら、図１４に示した観察装置では、顕微鏡対物レンズなどの拡大観察用レンズ４０をＤ／２＋αより近くまで観察対象物９に近づけることができない。ここで、Ｄは、観察対象物９の長さや幅などの寸法であり、αは、ハーフミラー２と拡大観察用レンズ４０とが干渉しない距離であって、拡大観察用レンズ４０の入射瞳径ＥＰを当該レンズの外径で近似すると、α≒ＥＰ／２となる。【０００７】
そのため、拡大観察用レンズ４０の（最大）開口数ＮＡは、
ＮＡ＝ｎ０・ｓｉｎθ
≒（ＥＰ／２）／（Ｄ／２＋α）
≒ＥＰ／（Ｄ＋ＥＰ）
となり、Ｄに応じて小さくなる。ここで、ｎ０は、空気の屈折率であって、ｎ０≒１とし、θは、拡大観察用レンズ４０の開口角（拡大観察光学系の光軸上にある観察対象物９の物点に対して当該レンズの入射瞳が張る角度）である。したがって、拡大観察用レンズ４０の（理論）分解能δ（＝０．６１λ／ＮＡ）は、Ｄに応じて大きくなる（悪化する）。ここで、λは、入射光の波長である。【０００８】
また、Ｄ／２＋αに応じて、作動距離（顕微鏡対物レンズの場合には、その鏡筒前縁と物点との距離）の大きな拡大観察用レンズ４０が必要となる。
【課題を解決するための手段】
【０００９】
前述した課題を解決する主たる本発明は、平行な第１および第２面を有し、空気より高い屈折率を有する第１の平行平面板と、前記第１および第２面とそれぞれ同一平面となるように配置される第３および第４面を有し、前記第１の平行平面板と同じ屈折率を有する第２の平行平面板と、前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、を有し、前記第１および第２の平行平面板は、前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備えることを特徴とするビームスプリッタである。【００１０】
本発明の他の特徴については、添付図面及び本明細書の記載により明らかとなる。【００１１】
＜関連出願の相互参照＞
この出願は、２０１１年９月３０日に出願された日本特許出願第２０１１−２１８０１５号に基づく優先権を主張し、その内容を本願に援用する。
【発明の効果】
【００１２】
本発明によれば、開口数を小さくしたり、作動距離の大きなレンズを用いたりすることなく全体観察および拡大観察を同時に行うことができる。
【図面の簡単な説明】
【００１３】
【図１】本発明の一実施形態におけるビームスプリッタを備えた観察装置全体の構成を示す模式図である。
【図２】本発明の一実施形態におけるビームスプリッタの構成を示す斜視図である。
【図３】ビームスプリッタ１を用いることによって、拡大観察用レンズ４０の開口数を大きくできることを説明する図である。
【図４】ビームスプリッタ１を用いることによって、拡大観察用レンズ４０の作動距離を大きくできることを説明する図である。
【図５】ビームスプリッタの他の構成例を示す斜視図である。
【図６】ビームスプリッタ、全体観察光学系、および拡大観察光学系の具体的な構成の一例を示す図である。
【図７】共通の照明光学系を備えた観察装置の構成の一例を示す図である。
【図８】２つの照明光学系を備えた観察装置において、明視野照明で全体観察を行う方法を説明する図である。
【図９】２つの照明光学系を備えた観察装置において、明視野照明で拡大観察を行う方法を説明する図である。
【図１０】２つの照明光学系を備えた観察装置において、明視野照明で全体観察を行い、暗視野照明で拡大観察を行う方法を説明する図である。
【図１１】観察対象物上方からの同軸落射照明を備えた観察装置の構成の一例を示す斜視図である。
【図１２】図１１に示した観察装置を観察対象物上方から見た平面図である。
【図１３】図１１に示した観察装置を図１２のＡ−Ａ線で切断した垂直断面図である。
【図１４】ハーフミラーを用いて全体観察光学系の光軸と拡大観察光学系の光軸とを一致させた観察装置の構成を示す模式図である。
【発明を実施するための形態】
【００１４】
本明細書および添付図面の記載により、少なくとも以下の事項が明らかとなる。
【００１５】
＝＝＝ビームスプリッタおよび観察装置の構成＝＝＝
以下、図１および図２を参照して、本発明の一実施形態におけるビームスプリッタおよび観察装置の構成について説明する。
【００１６】
図２は、本実施形態におけるビームスプリッタの構成を示している。図２に示されているビームスプリッタ１は、平行平面板１１、１２、およびハーフミラー１３で構成されている。
【００１７】
（第１の）平行平面板１１は、台形柱状に形成され、平行な１１ａ面（第１面）および１１ｂ面（第２面）と、当該平行面に対して直交する３つの垂直面および４５°（１３５°）の角度をなす１つの斜面とを有している。また、（第２の）平行平面板１２は、平行平面板１１と同一形状に形成され、平行な１２ａ面（第３面）および１２ｂ面（第４面）を有している。そして、平行平面板１１および１２は、それぞれの平行面が同一平面となり、それぞれの斜面がハーフミラー１３を挟んで対向するように配置され、ビームスプリッタ１は、全体として直方体状となっている。
【００１８】
なお、平行平面板１１および１２は、少なくとも空気より高い屈折率を有する同じ材料で形成され、好ましくは、１．５以上の屈折率を有するガラスなどの高屈折率の材料で形成されている。以下の説明においては、一例として、平行平面板１１および１２の材料は、屈折率ｎ＝１．５のガラスであるものとする。
【００１９】
ハーフミラー１３は、本実施形態における光分離部を構成し、入射光の約５０％を透過させるとともに、残りの約５０％を反射する。前述したように、ハーフミラー１３は、平行平面板１１および１２の斜面に挟まれているため、図２において下側（１１ａ面および１２ａ面側）から入射する入射光の約５０％を上側（１１ｂ面および１２ｂ面側）に透過させるとともに、残りの約５０％を１１ｃ面方向（平行平面板１１および１２の平行面と平行な方向）に反射する。なお、図２において上側からハーフミラー１３に入射する入射光は、その約５０％が下側に透過するとともに、残りの約５０％が１２ｃ面方向に反射されることとなる。
【００２０】
さらに、平行平面板１１および１２は、それぞれハーフミラー１３（の反射面）と連続する１１ｂ面上および１２ａ面上に、透過率約５０％の減光フィルム１４が貼付されており、本実施形態における減光部を構成する。したがって、ビームスプリッタ１は、全体として、図２において下側（または上側）から入射する入射光の約５０％を透過させることとなる。
【００２１】
図１は、ビームスプリッタ１を備えた観察装置全体の構成を示している。図１に示されている観察装置は、ビームスプリッタ１以外に、全体観察光学系、拡大観察光学系、およびコンピュータ８を含んで構成されている。
【００２２】
全体観察光学系（第１の観察光学系）は、全体観察用カメラ３および全体観察用レンズ３０を含んで構成されている。また、拡大観察光学系（第２の観察光学系）は、拡大観察用カメラ４および拡大観察用レンズ４０を含んで構成されている。なお、全体観察用カメラ３および拡大観察用カメラ４としては、ＣＣＤカメラやＣＭＯＳカメラなどが用いられる。
【００２３】
ビームスプリッタ１は、図２における下側（１１ａ面および１２ａ面側）が観察対象物９と対向し、ハーフミラー１３および減光フィルム１４を透過した透過光が全体観察光学系に導かれ、ハーフミラー１３で反射された反射光が拡大観察光学系に導かれるように配置されている。なお、顕微鏡対物レンズなどの拡大観察用レンズ４０は、図２におけるビームスプリッタ１の１１ｃ面に近接して配置されている。
【００２４】
このように配置することによって、全体観察用カメラ３は、ビームスプリッタ１を透過した、減光率約５０％（１００％−透過率約５０％）の観察対象物９の全体画像を撮像することができる。また、拡大観察用カメラ４は、ビームスプリッタ１で反射された、減光率約５０％（１００％−反射率約５０％）の観察対象物９の拡大画像を撮像することができる。
【００２５】
コンピュータ８は、キーボード８１などの入力装置およびディスプレイ８２などの出力装置を備えている。また、コンピュータ８は、キーボード８１からの入力などに応じて全体観察用カメラ３および拡大観察用カメラ４を制御するとともに、それぞれのカメラによって撮像された観察対象物９の全体画像および拡大画像をディスプレイ８２に表示させる。
【００２６】
このような構成によって、本実施形態の観察装置は、観察対象物９とビームスプリッタ１のハーフミラー１３との間で、全体観察光学系の光軸と拡大観察光学系の光軸とを一致させることができる。したがって、例えば、観察対象物９の全体画像および拡大画像を略同時に撮像し、当該一対の画像をディスプレイ８２に表示させることによって、現在の観察箇所を把握しながら拡大観察を行うことができる。
【００２７】
＝＝＝ビームスプリッタの作用＝＝＝
以下、図３および図４を適宜参照して、本実施形態におけるビームスプリッタの作用について説明する。
【００２８】
図１に示したように、本実施形態の観察装置では、拡大観察用レンズ４０がビームスプリッタ１（の１１ｃ面）に近接して配置されている。したがって、観察対象物９の物点から拡大観察用レンズ４０までの距離は、Ｄ／２＋βとなる。ここで、ビームスプリッタ１の平行平面板１１および１２の板厚（２β）は、拡大観察用レンズ４０の外径程度あれば十分であるため、β≒ＥＰ／２（≒α）となる。
【００２９】
したがって、ビームスプリッタ１を用いる本実施形態の観察装置における拡大観察用レンズ４０の開口数ＮＡは、
ＮＡ＝ｎ・ｓｉｎθ
≒１．５×（ＥＰ／２）／（Ｄ／２＋β）
≒１．５×ＥＰ／（Ｄ＋ＥＰ）
となり、図１４に示したハーフミラー２を用いる観察装置における拡大観察用レンズ４０の開口数ＮＡの（ｎ＝）１．５倍となる。
【００３０】
当該作用は、図３に示すような、ガラスなどの高屈折率の材料で形成された平行平面板によるシフト効果として説明することができる。なお、図３は、顕微鏡対物レンズである拡大観察用レンズ４０の具体的な構成として、無限補正系対物レンズ４１および結像レンズ４２を含む場合の位置関係の一例を示している。また、図３においては、無限補正系対物レンズ４１の入射瞳径ＥＰを１０ｍｍとし、当該レンズからその鏡筒前縁までの距離を１ｍｍとし、当該レンズの作動距離（鏡筒前縁から観察対象物９の物点Ｐａまでの距離ｄ）を５０ｍｍとしている。
【００３１】
図３（Ａ）に示すように、物点から顕微鏡対物レンズまでの空間がすべて空気中であるため、無限補正系対物レンズ４１の開口数ＮＡは、ＮＡ（＝ｎ０・ｓｉｎθａ）≒０．１となる。また、無限補正系対物レンズ４１の焦点距離ｆａは、物点Ｐａまでの距離と同程度とするので、当該レンズとしては、例えばｆａ＝５３．５ｍｍのものが用いられる。
【００３２】
一方、図３（Ｂ）に示すように、図１に示した本実施形態の観察装置では、物点から鏡筒前縁までの空間にガラスで形成された平行平面板１１（および１２）が挿入されている。そのため、観察対象物９の物点は、見かけ上、Ｐａから（１−１／ｎ）ｄ≒１７ｍｍだけシフトしたＰｂとなる。
【００３３】
このようにして、本実施形態の観察装置では、ビームスプリッタ１を用いることによって、見かけ上、観察対象物９の物点が拡大観察用レンズ４０（無限補正系対物レンズ４１）に近づくこととなる。すなわち、ガラスの平行平面板の効果により移動したＰａの像Ｐｂを対物レンズで見ることとなる。
【００３４】
このため、拡大観察用レンズ４０の入射瞳径ＥＰが図３（Ａ）と同じであっても、使用される無限補正系対物レンズ４１の焦点距離は、近づいたＰｂからの光束を受けるために、より短焦点（この場合、例えばｆｂ＝３６．５ｍｍ）のものを用いることとなる。
【００３５】
この結果、開口角が図３（Ａ）のθａ＝０．１から、図３（Ｂ）のθｂ＝０．１５に大きくなっているように、当該レンズの開口数ＮＡを（ｎ倍だけ）大きくすることができる。さらに、拡大観察用レンズ４０の分解能δが（ｎ倍）向上することとなる。
【００３６】
一方、図４に示すように、拡大観察用レンズ４０の開口数ＮＡや焦点距離ｆが同じ場合には、観察対象物９の物点を当該レンズから遠くに配置することができる。なお、図４においては、無限補正系対物レンズ４１の焦点距離ｆを４０ｍｍとし、当該レンズからその鏡筒前縁までの距離を１．３ｍｍとしている。
【００３７】
図４（Ａ）に示すように、図１４に示したビームスプリッタ１を用いない観察装置では、無限補正系対物レンズ４１の作動距離は、鏡筒前縁から観察対象物９の物点までの物理的な距離に等しく、（４０−１．３＝）３８．７ｍｍとなる。また、例えば図４（Ｂ）に示すように、ビームスプリッタ１を用いる本実施形態の観察装置では、鏡筒前縁から観察対象物９の物点までの物理的な距離を（２＋４２＋１０＋２．５＝）５６．５ｍｍとすることができる。この場合、ビームスプリッタ１の図４における左右方向の寸法が（４２＋４２＝）８４ｍｍとなるため、直径６０ｍｍのディッシュ（培養皿）内や、８０ｍｍ×１２０ｍｍのマイクロプレート上の観察対象物９に対して全体観察および拡大観察を行うことができる。
【００３８】
このようにして、本実施形態の観察装置では、ビームスプリッタ１を用いることによって、観察対象物９の物点を拡大観察用レンズ４０（無限補正系対物レンズ４１）から遠くに配置することができる。そのため、拡大観察用レンズ４０の開口数ＮＡや焦点距離ｆが同じであっても、当該レンズの作動距離を大きくすることができる。
【００３９】
以上のことから、図１において、観察対象物９とビームスプリッタ１との間の距離、および拡大観察用レンズ４０とビームスプリッタ１との間の距離は、０に近いほど望ましい。すなわち、拡大観察用レンズ４０と観察対象物９との間の空間を空気より高い屈折率ｎ(＞１)のガラスでできるだけ埋めることにより、拡大観察用レンズ４０の開口数ＮＡは、上記定義式ＮＡ＝ｎ・ｓｉｎθに近い値を取ることができるようになる。また、ガラスで形成された平行平面板によるシフト効果をできるだけ大きくすることにより、拡大観察用レンズ４０の作動距離を伸ばし、より大きなサイズの培養容器内の観察対象物に対して全体観察および拡大観察を行うことができるようになる。
【００４０】
なお、実際の観察装置では、ガラスが機械的に接触することによって表面にキズがつき、画質が劣化するのを防止するため、観察対象物９や拡大観察用レンズ４０とビームスプリッタ１との間には、数ｍｍ程度の小さな隙間を設けることが望ましい。
【００４１】
＝＝＝ビームスプリッタの他の構成例＝＝＝
上記実施形態では、透過率および反射率が約５０％ずつのハーフミラー１３で光分離部を構成しているが、これに限定されるものではない。一般に、光分離部の透過率をＴ％（０＜Ｔ＜１００）、反射率を（１００−Ｔ）％とした場合には、減光部の透過率をＴ％とすればよい。
【００４２】
一例として、光分離部の透過率が２０％のときについて説明する。この場合、減光部の透過率は２０％とすればよく、反射率は（１００−２０）％として８０％となる。なお、光分離部の透過率は２０％程度にすることが望ましい。これは、一般的に光学系によって撮影対象物が撮像面上に結像する際、拡大像は縮小像よりも暗くなるため、撮影対象物からの光を縮小光学系により多く入射させることが望ましいからである。
【００４３】
上記実施形態では、ビームスプリッタは、台形柱状に形成された平行平面板１１および１２と、これらの対向する斜面と同一形状のハーフミラー１３とで構成されているが、これに限定されるものではない。
【００４４】
例えば図５（Ａ）に示すように、ハーフミラー１３の形状は、平行平面板１１および１２の対向する斜面の形状の一部であってもよい。この場合であっても、ビームスプリッタは、全体として、図２および図５において下側（または上側）から入射する入射光の約５０％を透過させる必要がある。したがって、減光フィルム１４は、平行平面板１１および１２の面上のうち、図２および図５において下側からハーフミラー１３に入射する入射光、およびハーフミラー１３から上側に透過した透過光が通過しない領域に貼付する必要がある。すなわち、減光フィルム１４は、図２における１１ｂ面上および１２ａ面上に加えて、ハーフミラー１３（の反射面）と連続する斜面上にも貼付する必要がある。
【００４５】
なお、減光部について減光フィルム１４として説明を行なったが、これに限定されるものではない。減光部は、減光フィルム１４を貼付する面に対して金属や誘電体を材料とした光学薄膜をコーティングすることでも実現できる。光学薄膜の一例として、ＰｂＦ２（フッ化鉛（ＩＩ））などが挙げられる。光学薄膜をコーティングする方法により、光分離部の透過率と減光部の透過率とをより精度良く近い値にすることができる。
【００４６】
また、例えば図５（Ｂ）に示すように、それぞれが直方体状の平行平面板１１および１２、およびこれらに挟まれた角柱形ビームスプリッタ１５とでビームスプリッタを構成してもよい。当該ビームスプリッタは、図２のビームスプリッタと実質的に同一構造であるものの、製造が比較的容易である。
【００４７】
また、例えば図５（Ｃ）に示すように、容易に入手可能なキューブ型ビームスプリッタ１６を用いてビームスプリッタを構成してもよい。当該ビームスプリッタは、図５（Ａ）のビームスプリッタと実質的に同一構造である。
【００４８】
また、例えば図５（Ｄ）に示すように、容易に入手可能なキューブ型ビームスプリッタ１６を複数用いてビームスプリッタを構成してもよい。当該ビームスプリッタは、図２および図５（Ｂ）のビームスプリッタと実質的に同一構造であり、製造が比較的容易である。
【００４９】
また、例えば図５（Ｅ）に示すように、ビームスプリッタが全体として直方体状となっている必要はない。
【００５０】
なお、ビームスプリッタの材料は、空気より屈折率が高く、かつ光透過性のある物質であればよい。例えば、ビームスプリッタの材料として、ガラス（屈折率１．４０以上１．８４以下）の他に、アクリル樹脂（屈折率１．４９以上１．５３以下）やポリカーボネート（屈折率１．５９）などを用いてもよい。
【００５１】
＝＝＝ビームスプリッタ、全体観察光学系、および拡大観察光学系の構成の具体例＝＝＝
ここで、ビームスプリッタ、全体観察光学系、および拡大観察光学系の具体的な構成の一例を図６に示す。なお、図６においては、直径６０ｍｍのディッシュ内の観察対象物９に対して全体観察および拡大観察を行うものとする。
【００５２】
図６において、ビームスプリッタ１は、図２に示したビームスプリッタ１と同一構造であり、平行平面板の板厚は２０ｍｍとなっている。また、平行面の長さ（斜面と平行な辺の寸法）および幅はそれぞれ１１２ｍｍおよび８４ｍｍとなっている。なお、平行面の縦横比は、例えばＣＣＤカメラなどの全体観察用カメラ３（および拡大観察用カメラ４）のアスペクト比に合わせて４：３となっている。
【００５３】
全体観察光学系は、全体観察用カメラ３、テレセントリック補正レンズ３１、および結像レンズ３２で構成され、例えば結像倍率０．５倍となっている。また、拡大観察光学系は、拡大観察用カメラ４、無限補正系対物レンズ４１、および結像レンズ４２で構成され、例えば結像倍率５倍となっている。ここで、無限補正系対物レンズ４１の焦点距離および（空気中）作動距離は、例えば、それぞれ４０ｍｍおよび３８．７ｍｍとなっており、結像レンズ４２の焦点距離は、例えば２００ｍｍとなっている。
【００５４】
この図６の光学系配置は、具体的には以下に公開された文献のレンズデータを基にして、上記実施形態のビームスプリッタを用いて光学系を同軸化した例である。
【００５５】
全体観察光学系：「Camera Lens」、Gregory Hallock Smith, SPIE Press, p.236の物体側テレセントリック撮影系（撮影範囲がφ２０ｍｍ）のものを３倍にスケーリングしたもの。
【００５６】
拡大観察光学系：特開平４−２６８１３号公報、実施例５の対物レンズデータに焦点距離２００ｍｍの結像レンズを用いたもの。
【００５７】
＝＝＝観察装置の構成例１＝＝＝
ここで、共通の照明光学系を備えた観察装置の構成の一例を図７に示す。なお、図７においては、ディッシュなどの培養容器９０内の観察対象物９に対して全体観察および拡大観察を行うものとする。また、各カメラを制御したり、各カメラによって撮像された画像を処理したりするためのコンピュータなどは省略されている。
【００５８】
図７に示されている観察装置は、ビームスプリッタ１、全体観察光学系、拡大観察光学系、および共通の照明光学系を含んで構成されている。
【００５９】
ビームスプリッタ１は、培養容器９０の下方に配置されている。そのため、ビームスプリッタ１は、図２における下側（１１ａ面および１２ａ面側）が培養容器９０と対向するよう、図１とは上下反対に配置されている。
【００６０】
全体観察光学系は、培養容器９０およびビームスプリッタ１の下方に配置されており、培養容器９０の全領域において鉛直方向の光線を取り込むため、図１に示した観察装置の全体観察光学系に対して、テレセントリックフィールドレンズ３３が追加されている。また、拡大観察光学系は、図１に示した観察装置の拡大観察光学系と同様の構成となっている。
【００６１】
照明光学系は、全体／拡大観察用照明光源５、全体照明用レンズ５０、コンデンサレンズ５１、視野絞り５２、およびテレセントリックフィールドレンズ５３を含んで構成されている。
【００６２】
全体／拡大観察用照明光源５としては、ハロゲンランプや白色ＬＥＤなどが用いられ、全体／拡大観察用照明光源５からの光は、コンデンサレンズ５１によって集光される。また、集光された光は、視野絞り５２によって所望の形状にマスクされ、全体照明用レンズ５０によって拡大投影される。そして、テレセントリックフィールドレンズ５３によって、培養容器９０は、全領域において鉛直方向から照明されることとなる。
【００６３】
このような構成によって、当該観察装置は、全体／拡大観察用照明光源５を用いて、培養容器９０内の観察対象物に対して明視野照明で全体観察および拡大観察を同時に行うことができる。したがって、光透過性のある生物の細胞やコロニーの観察に用いることができ、特に、染色した細胞の観察に適している。例えば、蛍光試薬で染色された細胞に対して、全体／拡大観察用照明光源５の波長を蛍光試薬の励起波長とすることで、培養容器９０全体の蛍光画像と蛍光顕微鏡画像とを同時に撮像することができる。この場合には、それぞれの観察光学系におけるレンズとカメラとの間の光軸上に、励起光を遮断して蛍光発光の波長だけを透過させる光学的バンドパスフィルタを設ける必要がある。
【００６４】
＝＝＝観察装置の構成例２＝＝＝
ここで、２つの照明光学系を備えた観察装置の構成の一例を図８ないし図１０に示す。なお、図８ないし図１０においても、培養容器９０内の観察対象物９に対して全体観察および拡大観察を行うものとし、コンピュータなどは省略されている。
【００６５】
図８ないし図１０に示されている観察装置は、２つのビームスプリッタ１ａ、１ｂ、全体観察光学系、拡大観察光学系、および２つの照明光学系を含んで構成されている。
【００６６】
（第１の）ビームスプリッタ１ａと（第２の）ビームスプリッタ１ｂとは、それぞれの図２における下側（１１ａ面および１２ａ面側）が培養容器９０を挟んで対向するように配置されている。また、ビームスプリッタ１ａは、図７に示した観察装置のビームスプリッタ１と同様に配置され、ビームスプリッタ１ｂは、図１に示した観察装置のビームスプリッタ１と同様に配置されている。
【００６７】
全体観察光学系は、培養容器９０およびビームスプリッタ１ｂの上方に配置されている以外は、図７に示した観察装置の全体観察光学系と同様の構成となっている。また、拡大観察光学系は、図１および図７に示した観察装置の拡大観察光学系と同様の構成となっている。
【００６８】
全体／拡大観察用照明光源５（第１の照明光源）を含む第１の照明光学系は、培養容器９０およびビームスプリッタ１ａの下方に配置されている以外は、図７に示した観察装置の照明光学系と同様の構成となっている。また、第２の照明光学系は、拡大観察用照明光源６（第２の照明光源）、顕微鏡照明用レンズ６０、コンデンサレンズ６１、および視野絞り６２を含んで構成されている。
【００６９】
このような構成によって、当該観察装置は、図８に示すように全体／拡大観察用照明光源５を点灯させて、培養容器９０内の観察対象物に対して明視野照明で全体観察を行うことができる。その際、拡大観察用の照明光源６およびカメラ４は動作しない。また、図９に示すように拡大観察用照明光源６を点灯させて、培養容器９０内の観察対象物に対して明視野照明で拡大観察を行うことができる。その際、全体観察用の照明光源５およびカメラ３は動作しない。そして、全体観察用カメラ３および拡大観察用カメラ４のフレームレートに同期させて、図８および図９の点灯状態を交互に切り替え、それぞれのカメラで撮像することによって、略同時に撮像された一対の画像をディスプレイなどに表示させることができる。
【００７０】
当該観察装置は、図７に示した観察装置と同様に、光透過性のある生物の細胞やコロニーの観察に用いることができる。特に、拡大観察光学系専用の照明を備えるため、拡大観察用照明光源６にリングスリット照明を用い、拡大観察用レンズ４０に位相膜を持つ生物用対物レンズを用いることで、位相差顕微鏡画像を撮像することもできる。また、２つの照明光学系が独立しているため、それぞれ異なる光の波長での撮像も可能となり、光源に青や緑など複数色のＬＥＤを用いたり、白色光源と光学的バンドパスフィルタとを組み合わせて用いたりすることにより、それぞれの照明波長を設定することができる。
【００７１】
例えば、蛍光試薬で染色された細胞に対して、全体観察は白色可視光で行い、培養容器９０の表面に書きこまれた文字を撮影することで、培養容器の取り違いを防止することができる。一方、拡大観察は、蛍光試薬の励起波長の照明で行うことができる。この場合には、拡大観察用レンズ４０と拡大観察用カメラ４との間の光軸上に、蛍光発光の波長だけを透過させる光学フィルタを設ける必要がある。
【００７２】
さらに、図１０に示すように全体／拡大観察用照明光源５を点灯させて、培養容器９０内の観察対象物に対して、明視野照明で全体観察を行うと同時に、暗視野照明で拡大観察を行うこともできる。そのため、例えば、蛍光試薬で染色された細胞に対して、同一領域の明視野照明（全体）画像と位相差顕微鏡画像とを略同時に撮像し、表示させることができる。また、異なる照明光源を用いて拡大観察を行うことができるため、例えば、同一領域の明視野照明顕微鏡画像と位相差顕微鏡画像とを撮像することもできる。
【００７３】
したがって、全体観察用カメラ３および拡大観察用カメラ４のフレームレートに同期させて、図９および図１０の点灯状態を交互に切り替え、それぞれのカメラで撮像することによって、略同時に撮像された１つの全体画像および２種類の顕微鏡画像をディスプレイなどに表示させることができる。
【００７４】
例えば、図９において、拡大観察用照明光源６にリングスリット照明を用い、拡大観察用レンズ４０に位相膜を持つ生物用対物レンズを用いて、位相差顕微鏡画像を撮像することができる。また、例えば、図１０において、全体／拡大観察用照明光源５の波長を蛍光試薬の励起波長とすることで、培養容器９０全体の蛍光画像と蛍光顕微鏡画像とを撮像することができる。これにより、１つの全体画像と、異なる照明光源を用いた２種類の顕微鏡画像とを略同時に撮像し、表示させることができる。この場合には、拡大観察用レンズ４０と拡大観察用カメラ４との間の光軸上に、蛍光発光の波長だけを透過させる光学フィルタを常時設け、拡大観察用照明光源６の波長を、蛍光試薬の励起波長ではなく蛍光発光の波長とする必要がある。
【００７５】
＝＝＝観察装置の構成例３＝＝＝
ここで、観察対象物上方からの同軸落射照明を備えた観察装置の構成の一例を図１１ないし図１３に示す。なお、図１１ないし図１３においても、培養容器９０内の観察対象物９に対して全体観察および拡大観察を行うものとし、コンピュータなどは省略されている。また、図１１は、観察装置に含まれる光学系全体を示す斜視図であり、図１２は、観察対象物上方から見た平面図であり、図１３は、図１２のＡ−Ａ線で切断した垂直断面図である。
【００７６】
図１１ないし図１３に示されている観察装置は、ビームスプリッタ１、全体観察光学系、拡大観察光学系、および共通の同軸落射照明光学系を含んで構成されている。また、ビームスプリッタ１は、培養容器９０の上方に配置され、図１に示した観察装置のビームスプリッタ１と同様に配置されている。
【００７７】
全体観察光学系は、培養容器９０およびビームスプリッタ１の上方に配置され、全体観察用カメラ３、マスターレンズ３４、ハーフミラー２、全体観察用対物レンズ群３５、折り返しミラー７、および全体観察用対物レンズ群３６を含んで構成されている。また、全体観察用カメラ３には、マスターレンズ３４が取り付けられている。そして、全体観察用対物レンズ群３５は、ハーフミラー２と折り返しミラー７との間に配置され、ビームスプリッタ１の上方近傍には、全体観察用対物レンズ群３６（フィールドレンズ）が配置され、これらのレンズ群によって、物体側テレセントリック系が構成されている。
【００７８】
拡大観察光学系は、拡大観察用カメラ４および顕微鏡４３を含んで構成されている。また、顕微鏡４３には、拡大観察用カメラ４が取り付けられている。そして、図１、図７、および図８ないし図１０に示した観察装置の拡大観察光学系と同様に、顕微鏡４３の対物レンズがビームスプリッタ１（の１１ｃ面）に近接して配置されている。
【００７９】
同軸落射照明光学系は、培養容器９０およびビームスプリッタ１の上方に配置され、全体／拡大観察用照明光源５、ライトパイプ５４、照明用レンズ５５、ハーフミラー２、全体観察用対物レンズ群３５、折り返しミラー７、および全体観察用対物レンズ群３６を含んで構成されている。なお、ハーフミラー２、全体観察用対物レンズ群３５、折り返しミラー７、および全体観察用対物レンズ群３６は、全体観察光学系と共通に用いられている。そして、当該照明光学系の光軸は、ハーフミラー２と培養容器９０との間において、全体観察光学系の光軸と一致している。
【００８０】
このような構成によって、当該観察装置は、全体／拡大観察用照明光源５を用いて、培養容器９０内の観察対象物に対して上方からの同軸落射照明で全体観察および拡大観察を同時に行うことができる。したがって、特に、光を透過しない不透明なサンプルの観察に適しており、例えば、白色照明で通常の全体観察および拡大観察を同時に行うことができる。
【００８１】
なお、当該観察装置において、ハーフミラー２に代えて、蛍光顕微鏡で一般的に用いられている蛍光フィルターキューブ（フィルターカセット）を用いることによって、培養容器９０全体の蛍光画像を撮像することができる。さらに、顕微鏡４３の鏡筒内に蛍光フィルタを設けることによって、蛍光顕微鏡画像を撮像することもできる。
【００８２】
前述したように、ビームスプリッタ１において、空気より高い屈折率を有する平行平面板１１および１２と、光分離部（ハーフミラー１３、角柱形ビームスプリッタ１５、キューブ型ビームスプリッタ１６）とを用いて、図２において下側から入射する入射光のＴ％を上側に透過させるとともに、（１００−Ｔ）％を１１ｃ面方向に反射するように配置し、平行平面板１１および１２のうち、下側から光分離部に入射する入射光および光分離部から上側に透過した透過光が通過しない領域に透過率Ｔ％の減光部を設けることによって、開口数を小さくしたり、作動距離の大きなレンズを用いたりすることなく全体観察および拡大観察を同時に行うことができる。
【００８３】
そして、図１に示した観察装置において、ビームスプリッタ１の図２における下側を観察対象物９と対向させ、ハーフミラー１３および減光フィルム１４を透過した透過光が全体観察光学系に導かれ、ハーフミラー１３で反射された反射光が拡大観察光学系に導かれるように配置することによって、観察対象物９とビームスプリッタ１のハーフミラー１３との間で、全体観察光学系の光軸と拡大観察光学系の光軸とを一致させることができ、現在の観察箇所を把握しながら拡大観察を行うこともできる。
【００８４】
また、図８ないし図１０に示した観察装置において、ビームスプリッタ１ａおよび１ｂの図２における下側が観察対象物を挟んで対向するように配置し、ビームスプリッタ１ａを用いて透過光および反射光をそれぞれ全体観察光学系および拡大観察光学系に導き、ビームスプリッタ１ｂを用いて全体／拡大観察用照明光源５および拡大観察用照明光源６からの光を観察対象物に導くことによって、観察対象物に対して、明視野照明で全体観察および拡大観察を切り替えて行ったり、明視野照明で全体観察を行うと同時に暗視野照明で拡大観察を行ったりすることができる。
【００８５】
また、平行平面板１１および１２の面上のうち、光分離部の反射面と連続する面上に透過率Ｔ％の減光フィルム１４を貼付することによって、ビームスプリッタ１は、全体として、図２において下側（または上側）から入射する入射光のＴ％を透過させることとなり、均一な明るさで全体観察を行うことができる。なお、全体観察において、明るさの均一性を求めない場合には、減光フィルムを用いなくてもよい。
【００８６】
また、透過率および反射率が約５０％ずつのハーフミラー１３で光分離部を構成することによって、同等の明るさで全体観察および拡大観察を同時に行うことができる。
【００８７】
また、１．５以上の屈折率を有するガラスで平行平面板１１および１２を形成することによって、拡大観察用レンズ４０の開口数ＮＡを１．５倍以上大きくするとともに、当該レンズを短焦点化することができ、さらに、当該レンズの分解能δを向上させることもできる。
【００８８】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００８９】
１（１ａ、１ｂ）  ビームスプリッタ
２          ハーフミラー
３          全体観察用カメラ
４          拡大観察用カメラ
５          全体／拡大観察用照明光源
６          拡大観察用照明光源
７          折り返しミラー
８          コンピュータ
９          観察対象物
１１、１２  平行平面板
１３        ハーフミラー
１４        減光フィルム
１５        角柱形ビームスプリッタ
１６        キューブ型ビームスプリッタ
３０        全体観察用レンズ
３１        テレセントリック補正レンズ
３２        結像レンズ
３３        テレセントリックフィールドレンズ
３４        マスターレンズ
３５、３６  全体観察用対物レンズ群
４０        拡大観察用レンズ（顕微鏡対物レンズ）
４１        無限補正系対物レンズ
４２        結像レンズ
４３        顕微鏡
５０        全体照明用レンズ
５１        コンデンサレンズ
５２        視野絞り
５３        テレセントリックフィールドレンズ
５４        ライトパイプ
５５        照明用レンズ
６０        顕微鏡照明用レンズ
６１        コンデンサレンズ
６２        視野絞り
８１        キーボード（入力装置）
８２        ディスプレイ（出力装置）
９０        培養容器
【図１】
2013047315.tif 000003
【図２】
2013047315.tif 000004
【図３】
2013047315.tif 000005
【図４】
2013047315.tif 000006
【図５】
2013047315.tif 000007
【図６】
2013047315.tif 000008
【図７】
2013047315.tif 000009
【図８】
2013047315.tif 000010
【図９】
2013047315.tif 000011
【図１０】
2013047315.tif 000012
【図１１】
2013047315.tif 000013
【図１２】
2013047315.tif 000014
【図１３】
2013047315.tif 000015
【図１４】
2013047315.tif 000016
【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
を有するビームスプリッタと、
観察対象物全体を観察するための第１の観察光学系と、
前記観察対象物の一部を拡大して観察するための第２の観察光学系と、
を備え、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備え、
前記ビームスプリッタは、
前記第１および第３面が前記観察対象物と対向し、
前記光分離部および前記減光部を透過した透過光が前記第１の観察光学系に導かれ、
前記光分離部で反射された反射光が前記第２の観察光学系に導かれるように配置されることを特徴とする観察装置。
【請求項２】
前記減光部は、前記光分離部の反射面と連続する前記第１および第２の平行平面板の面上に貼付された透過率Ｔ％の減光フィルムで構成されることを特徴とする請求項１に記載の観察装置。
【請求項３】
前記Ｔが５０であることを特徴とする請求項１または請求項２に記載の観察装置。
【請求項４】
前記第１および第２の平行平面板は、１．４以上の屈折率を有する光透過性の物質で形成されていることを特徴とする請求項１ないし請求項３の何れかに記載の観察装置。
【請求項５】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
をそれぞれ有する第１および第２のビームスプリッタと、
観察対象物全体を観察するための第１の観察光学系と、
前記観察対象物の一部を拡大して観察するための第２の観察光学系と、
第１の照明光源からの光を用いて前記観察対象物を照明するための第１の照明光学系と、
第２の照明光源からの光を用いて前記観察対象物を照明するための第２の照明光学系と、
を備え、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備え、
前記第１および第２のビームスプリッタは、それぞれの前記第１および第３面が前記観察対象物を挟んで対向するように配置され、
前記第１のビームスプリッタは、
前記光分離部および前記減光部を透過した透過光が前記第１の観察光学系に導かれ、
前記光分離部で反射された反射光が前記第２の観察光学系に導かれるように配置され、
前記第２のビームスプリッタは、
前記第１の照明光源からの光が前記第１のビームスプリッタおよび前記観察対象物を介して前記第１および第３面側から入射し、
前記第２の照明光源からの光が前記第１ないし第４面と平行な方向から入射し、前記第１および第３面側に反射されるように配置されることを特徴とする観察装置。
【請求項６】
平行な第１および第２面を有し、空気より高い屈折率を有する第１の平行平面板と、
前記第１および第２面とそれぞれ同一平面となるように配置される第３および第４面を有し、前記第１の平行平面板と同じ屈折率を有する第２の平行平面板と、
前記第１および第２の平行平面板に挟まれ、前記第１および第３面側から入射する入射光のＴ％（０＜Ｔ＜１００）を前記第２および第４面側に透過させるとともに、前記第１および第３面側から入射する入射光の（１００−Ｔ）％を前記第１ないし第４面と平行な方向に反射する光分離部と、
を有し、
前記第１および第２の平行平面板は、
前記第１および第３面側から前記光分離部に入射する入射光および前記光分離部から前記第２および第４面側に透過した透過光が通過しない領域に、前記第１および第３面側から入射する入射光のＴ％を前記第２および第４面側に透過させる減光部を備えることを特徴とするビームスプリッタ。
【国際調査報告】
2013047315.tif 000017
2013047315.tif 000018
2013047315.tif 000019
2013047315.tif 000020